(57)【要約】【課題】ＳＦＮ放送波中継において、発振を関知して、自動で発振を止める。【解決手段】各局及び端末に設置された各フィールド測定器から測定情報を収集し、測定情報収集の完了を監視する（Ｓ１，Ｓ２）。収集が完了した場合には、端末からの測定情報に入力異常が発生していないかを監視し（Ｓ３，Ｓ４）、入力異常検出時には、中継ルートを参照してその手前の局の入出力をチェックする（Ｓ５）。入力は異常なしで出力のみ異常を検出しているか否かを判断し（Ｓ６）、出力のみ異常検出ならばその局の機器が発振または故障したと判断し、発振停止・復旧信号を送信する（Ｓ７）。【選択図】図３
2007081949.tif 000002
【特許請求の範囲】
【請求項１】
地上デジタル放送の複数の送信・中継ルートそれぞれに配置される中継局の送受信状況、任意の受信端末の受信状況を一括して管理する地上デジタル放送の送信管理システムであって、
前記複数の送信・中継ルートそれぞれの各中継局及び受信端末に設置され、前記地上デジタル放送のフィールド信号の品質を測定する複数の品質測定手段と、
前記複数の品質測定手段で得られる測定情報を一括して収集する測定情報収集手段と、
前記一括収集された測定情報から各中継局及び受信端末での入出力状態を判断して、入力異常がある中継局または受信端末から手前の送信局を辿り、入力異常がなく出力異常を検出している局を発振発生しているものとして検索する検索手段とを具備することを特徴とする地上デジタル放送の送信管理システム。
【請求項２】
さらに、前記検索手段で検索された中継局に少なくとも発振停止処置を行うように指示する指示手段を備えることを特徴とする請求項１記載の地上デジタル放送の送信管理システム。
【請求項３】
地上デジタル放送の複数の送信・中継ルートそれぞれに配置される中継局の送受信状況、任意の受信端末の受信状況を一括して管理する地上デジタル放送の送信管理システムに用いられ、
前記複数の送信・中継ルートそれぞれの各中継局及び受信端末に設置され、前記地上デジタル放送のフィールド信号の品質を測定する品質測定過程と、
前記複数の品質測定手段で得られる測定情報を一括して収集する測定情報収集過程と、
前記一括収集された測定情報から各中継局及び受信端末での入出力状態を判断して、入力異常がある中継局または受信端末から手前の送信局を辿り、入力異常がなく出力異常を検出している局を発振発生しているものとして検索する検索過程とを具備することを特徴とする地上デジタル放送の送信管理システム運用方法。
【請求項４】
さらに、前記検索手段で検索された中継局に少なくとも発振停止処置を行うように指示する指示過程を備えることを特徴とする請求項３記載の地上デジタル放送の送信管理システム運用方法。
【発明の詳細な説明】
【技術分野】
【０００１】
本発明は、地上デジタル放送の送信・中継ルートそれぞれの送信状況を一括して管理する地上デジタル放送の送信管理システムとその運用方法に関する。
【背景技術】
【０００２】
地上デジタル放送にあっては、ＳＦＮ（Single Frequency Network：単一周波数網）による放送波中継の構築に際し、ＳＦＮ回り込みキャンセラーを用いる、送受信空中線のアイソレーションを充分にとる、中継局の周辺環境を考慮して、多重回り込み波が少なく、反射波が起こらないような場所を選定する、等の対策により、発振が起きないような条件で構築を進めている。
【０００３】
しかしながら、実際には、発振しない安定した条件で運用していても、長年のうちには、ＳＦＮ回り込みキャンセラーが故障したり、フェージングにより受信入力レベルが極端に低下したり、中継局の周辺環境が変化して反射波が多くなり、多重回り込み波が多くなったりして、一瞬でも発振限界を超えた場合には発振してしまうことになる。そのときは、保守作業員を発振している中継局に派遣して、手動で送信機の電源のオン・オフなどを行い、発振を止める必要がある。
【０００４】
尚、中継放送所のカバーエリア内での送信状態を把握する受信状態監視システムに関する発明が特許文献１に示されている。但し、この文献に記載されるシステムには、ＳＦＮ放送波中継における発振の発生に関しては示されていない。
【特許文献１】特開２００３−３３３６２７公報
【発明の開示】
【発明が解決しようとする課題】
【０００５】
以上述べたように、従来では、地上デジタル放送のＳＦＮによる放送波中継の構築に際して、発振しない安定した環境を実現するよう努めているものの、時事刻々と変化する状況下では対応しきれず、発振発生時には原因究明が困難で、発振停止作業も保守作業員の派遣に頼るため、手間と時間もかかる。
【０００６】
本発明は、上記の問題を解決するためになされたもので、ＳＦＮ放送波中継において、発振を関知して、自動で発振を止めることのできる地上デジタル放送の送信管理システムとその運用方法を提供することを目的とする。
【課題を解決するための手段】
【０００７】
上記問題を解決するために、本発明に係る地上デジタル放送の送信管理システムは、地上デジタル放送の複数の送信・中継ルートそれぞれに配置される中継局の送受信状況、任意の受信端末の受信状況を一括して管理するシステムであって、前記複数の送信・中継ルートそれぞれの各中継局及び受信端末に設置され、前記地上デジタル放送のフィールド信号の品質を測定する複数の品質測定手段と、前記複数の品質測定手段で得られる測定情報を一括して収集する測定情報収集手段と、前記一括収集された測定情報から各中継局及び受信端末での入出力状態を判断して、入力異常がある中継局または受信端末から手前の送信局を辿り、入力異常がなく出力異常を検出している局を発振発生しているものとして検索する検索手段とを具備することを特徴とする。
【０００８】
また、本発明に係る地上デジタル放送の送信管理システム運用方法は、地上デジタル放送の複数の送信・中継ルートそれぞれに配置される中継局の送受信状況、任意の受信端末の受信状況を一括して管理するシステムに適用され、前記複数の送信・中継ルートそれぞれの各中継局及び受信端末に設置され、前記地上デジタル放送のフィールド信号の品質を測定する品質測定過程と、前記複数の品質測定手段で得られる測定情報を一括して収集する測定情報収集過程と、前記一括収集された測定情報から各中継局及び受信端末での入出力状態を判断して、入力異常がある中継局または受信端末から手前の送信局を辿り、入力異常がなく出力異常を検出している局を発振発生しているものとして検索する検索過程とを具備することを特徴とする。
【発明の効果】
【０００９】
本発明によれば、ＳＦＮ放送波中継において、各地点の入出力測定結果を一括管理して、入力異常がある地点から放送波中継ルートを辿って出力異常を検出している局を、発振を生じている局として自動的に検索することができるので、比較的短時間に発振を停止させ、復旧処置を行うことが可能となる。また、発振が生じている局が発振停止・復旧機能を有している場合には、その指示を送るだけで直ちに復旧まで自動的に行うことができる。このように、本発明によれば、発振を関知して、自動で発振を止めることのできる地上デジタル放送の送信管理システムとその運用方法を提供することができる。
【発明を実施するための最良の形態】
【００１０】
以下、図面を参照して本発明の実施の形態を詳細に説明する。
【００１１】
図１は、本発明に係る地上デジタル放送の送信管理システムを示す概略構成図である。図１において、Ａは演奏所（または委託監視法人社屋）、Ｂは親局（送信所）、Ｃはサテライト局、Ｄは委託監視所、Ｅはフィールド移動測定車を示している。尚、サテライト局Ｃは、中継受信エリアをくまなくカバーするために複数点在して設置されているものとする。
【００１２】
上記演奏所Ａにはマスター設備（ＭＵＸ）及び送信設備（ＳＴＬ）と共にＴＭＳ（Transmitting Management System：送信管理システム）センター機器が設置される。また、Ｂ，Ｃ，Ｄ，Ｅの各受信ポイント（中継受信点及び終端受信点）には、それぞれフィールド信号の品質を測定するフィールド測定器が配置される。このフィールド測定器で、サテライト局Ｃは中継局の入力及び出力の品質を測定する。このフィールド測定器で測定する情報としては、Ｃ／Ｎ値、ＭＥＲ値、ＢＥＲ、遅延プロファイル、入力レベル等があげられる。
【００１３】
上記ＴＭＳセンター機器１１は、具体的には図２に示すように構成される。図２において、演算処理部２１は、通信インターフェース（通信Ｉ／Ｆ）２２を通じて各フィールド測定器から送られてくる測定情報を収集し、測定情報をデータベース２３に登録して一括管理する。そして、収集された測定情報と放送中継ルート管理部２４をもとに発振している局を検索し、通信インターフェース２１を介して該当するサテライト局Ｃに発振停止・復旧信号を送信する。
【００１４】
サテライト局Ｃには、それぞれ発振停止・復旧信号を受けた場合、送信機の電源をオフして送信を中断した後、再度オン状態に切り換えて送信を開始させる、または受信入力信号や出力信号などの信号系統を一度ダミー信号の伝送に置き換えて、再度放送信号を出力するといった停止・復旧機能を有する。
【００１５】
上記ＴＭＳセンター機器１１の発振している局を検索する方法について、図３を参照して説明する。
【００１６】
まず、各フィールド測定器から測定情報を収集し、測定情報収集の完了を監視する（ステップＳ１，Ｓ２）。収集が完了した場合には、委託監視所Ｄ、フィールド移動測定車Ｅからの測定情報に入力異常が発生していないかを監視する（ステップＳ３，Ｓ４）。入力異常が検出された場合には、ルート管理部２４で管理されている中継ルートを参照してその手前の局Ｃの入出力をチェックする（ステップＳ５）。ここで、入力は異常なしで出力のみ異常検出しているか否かを判断し（ステップＳ６）、ＹＥＳならばその局Ｃの機器が発振または故障したと判断し、発振停止・復旧信号を送信する（ステップＳ７）。
【００１７】
ステップＳ６で、入出力いずれも異常を検出している場合には、ステップＳ５に戻り、手前の局（他のサテライト局Ｃ）の入出力をチェックし、入力は異常なしで出力のみ異常検出している場合には、ステップＳ７で、そのサテライト局Ｃの機器が発振または故障したと判断し、発振停止・復旧信号を送信する。
【００１８】
したがって、上記構成による送信管理システムによれば、発振している局を自動的に検索し、その局が検出された場合には、その局の発振を停止させ、自動復旧させることが可能となる。このように、発振停止・自動復旧を可能としたことにより、作業員の派遣を行う必要がなくなり、比較的短時間に発振に対する処置を施すことができる。
【００１９】
尚、上記実施形態では、端末部分の異常発生を検出してその上流局の発振を検索するようにしたが、サテライト局から順に入出力の異常発生を検出するようにしても発振が発生している局を特定することが可能である。
【００２０】
また、上記実施形態では、各局が発振発生時に、その停止処理、復旧が指示に応じて自動化されている場合について説明したが、自動化されていない既存の局の場合でも、その発振発生の局を即時に特定することができるので、手動による対応であっても素早い処置が可能である。
【００２１】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２２】
【図１】本発明に係る地上デジタル放送の送信管理システムの一実施形態を示す概略構成図。
【図２】図１に示すＴＭＳセンター機器の具体的な構成を示すブロック図。
【図３】図１に示すＴＭＳセンター機器の発振している局を検索する方法を説明するためのフローチャート。
【符号の説明】
【００２３】
Ａ…演奏所（または委託監視法人社屋）、Ｂ…親局（送信所）、Ｃ…サテライト局、Ｄ…委託監視所、Ｅ…フィールド移動測定車、２１…演算処理部、２２…通信インターフェース（通信Ｉ／Ｆ）、２３…測定情報データベース、２４…放送中継ルート管理部。
【図１】
2007081949.tif 000003
【図２】
2007081949.tif 000004
【図３】
2007081949.tif 000005